(57)【要約】【課題】生け花において枝を支える方法を花瓶の口で支えるやり方でなく２つの金網を設けた支持具の網で支える方法を用いた新たな生け花の方法を提供する。【解決手段】縦軸（１）の上端に円盤状の金網（２）を水平に、下の端にざる状の金網（３−１、３−２）を上下逆さにして水平にもうけた支持具とざる状の金網（３−１，３−２）の中に入る大きさの花瓶を用いて花瓶の上に支持具のざる部分（３−１，３−２）をかぶせるように置いて、生け花の枝を上の円盤状の網（２）部分から挿して上下の網で枝を支える方法で生け花を生けるのを特徴とする。【選択図】図１
2011139878.tif 000002
【特許請求の範囲】
【請求項１】
縦軸の上の端に水平に平たい網を，下の端にざる状の網を上下さかさまにして水平に設けた生け花の枝を支えるための支持具、及び、そのざるの部分を花瓶にかぶせて、網の上から生け花の枝をさして生け花をする方法。
【発明の詳細な説明】
【技術分野】
【０００１】この発明は、縦軸の上と下に網を水平につけて、その網にさした生け花の枝を支える支持具として、生け花をする方法に関するものである。
【背景技術】
【０００２】従来、生け花で枝の倒れるのを防ぐ方法としては、花瓶の口の部分で生け花の枝を支えるのが一般的であった。
【発明の開示】
【発明が解決しようとする課題】
【０００３】これは、次のような２つの欠点があった。
１、生け花の枝の長さを考えて、花瓶の口を高い位置にする必要があり、背の高い花瓶になり、不安定となっていた。そのために、花の必要とする水の量より多い水を花瓶に入れてそれを安定させていた。
２、花瓶の口が狭いのでその中の汚れをよく落とせなかった。
本発明は、以上のような欠点をなくすためになされたものである。
【課題を解決するための手段】
【０００４】本案は、縦軸（１）の上端に針金で編んだ円盤状の網（２）を水平に設けて下端に同じく針金で編んだざる状の網（３−１，３−２）を上下さかさまにして水平に設けた物を生け花の枝を支える支持具として、そのざる状の網（３−１，３−２）の中にいる大きさの花瓶を一緒に用いて生け花を行う。
生け花を生ける方法は花瓶の上に支持具のざる部分（３−１，３−２）をかぶせるように置いて、上の円盤状の網（２）部分から生け花の枝をさして上下２枚の網で花の枝を支えるのである。
【発明の効果】
【０００５】本案は、次の４つの効果がある。
１、従来のように花瓶の口で生け花の枝を支える方法でないから、花瓶の口の高さを高くする必要がないので、支持具の軸（１）の長さの分だけ花瓶の高さを低くすることが出来るので花瓶が安定する。使用する水の量も少なくて済む。
２、花瓶の口を生け花の枝を支えるために小さくする必要もないので、口を広くすることが出来て中の汚れを落とすのが楽である。
３、上の円盤状の網（２）の上に花があるように枝を挿すだけでなく、花を下のざる状の網（３−１）に挿して花が上と下にあるようにすることも出来る。
４、支持具を水盤の中にいれて剣山の代わりにすることも出来るし、支持具をさかさまにして、ざる状の部分（３−１，３−２）を上にすれば小物要れとしても利用できる。
【発明を実施するための最良の形態】
【０００６】以下、本発明を実施するための最良の形態について説明する。
支持具は針金を用いて軸（１）及び上下の網（２，３−１，３−２）を一体として作る。
まず、骨格を作るのに必要な長さの６本の針金を用いて支持具の骨格となる部分から作り始める。
６本の針金を仮に束ねて、針金の一方の端から円盤状の網（２）の半径となる長さを測り、その点（４）を６本とも直角に曲げそれを放射状に拡げて円盤状の網（２）の骨格とする。次に、その骨格に巻きつける針金を用意して放射状に拡がった針金の１本の軸寄りの点（５）に外に向かって複数回巻きつけて固定して、次に隣の針金に移り同じく外に向かって複数回巻きつけながら次々と巻きつけて行く、そうすると渦を巻いて外へ拡がってほぼ円盤状になるから端に達したら針金を固定して切る。
そして、他に１本の針金を用意して丸い輪を作り、それを放射状に広がった６本の骨格の針金の先端に円盤を囲むように取り付けると軸（１）の上端に設ける円盤状の網（２）が完成する。
本案の支持具に関しては、渦巻状の網を作る針金の巻き方に重要な点がある。
針金は細いものであるから、１回巻いて次の針金に巻きつけて行くと渦を巻く針金の間隔が狭いので花の枝を挿すには、それでは充分でない。複数回巻きつけてから次の針金に巻きつけて行くと必要な間隔をとることが出来るのである。
次に、軸（１）の部分を作るには、まず先に６本の針金を束ねた仮止めをはずし、別に巻きつける針金を用意して、それを骨格となる針金の１本に先に直角に曲げた点（４）の近くで巻きつけて固定してから必要とする長さに達する点（６）迄６本の針金に巻きつけて１本に束ねて行くと軸（１）が出来る。この時点で巻いた針金は切らないで置く。
次に、下のざる状の網の底の部分（３−１）を上の網と同じように作るために軸（１）の下の端の点（６）で骨格となる６本の針金を直角に曲げて、それを放射状に拡げてから、それに軸（１）に巻きつけた後、切らないで置いた針金を円盤状の網（２）と同じ巻き方で巻いて渦巻状の網を作り、円盤状の網（２）と同じ大きさに達したら巻くのをやめて、その針金を切って骨格に固定する。
これでざる状の網の底の部分（３−１）ができる。
次に、ざる状の網の立ち上がりの部分（３−２）を作る。ざるは直角に立ち上がった形にするので渦巻きの端の点（７）で６本の骨格である針金を直角に下方向に曲げる。それが花瓶を置くために必要な高さを確保する部分の骨格となる。そしてこの骨格の末端に取り付けるために他に１本の針金を用意して円い輪を作りそれを取り付ける。これで一応本案の構成に必要な部分は出来たのだが、最後に、ざるの立ち上がった６本の骨格の針金にそれを補強するために別に針金を用意して巻きつけて編むのだがこの部分の網は花の枝を支えるのには使用しないので本案のために特に必要な構成をなすものではなく単に補強するだけだから自由な編み方をすれば良い。それが終わると支持具が完成する。
図面では図が複雑になるのを避けるためにこの網の部分は省略して骨格だけとする。
なお、先程、ざる状の網の底部分［３−１］の骨格に巻いた針金を切って固定したが、その時点で切らないで置いて、それを立ち上げた骨格に自由な巻き方で巻いて行っても良い。そして、先に述べたようにざる状の網の立ち上がり部分［３−２］の網は本案の直接の用件ではないので必ずしもこの部分は網である必要はなく円筒で立ち上がり部分を作ってもさしつかえない。
瓶については先に述べたようにざる状の網（３−１，３−２）の中に入る大きさで、口を大きく開いた物であれば良い。
そして、ざる状の網の部分（３−１）に花を挿すには花の枝を花の下の茎だけを残して花瓶の深さより短く切って花を挿す。そうすると花のガクが直接ざる状の網の部分（３−１）に引っ架かって花を支えることが出来るのである。
本案は、以上の構成から成るものである。
【図面の簡単な説明】
【０００７】
【図１】本発明の支持具の斜視図である。
【図２】本発明の支持具の平面図でる
【図３】本発明の支持具の正面図である。
【図４】本発明で使用する花瓶の斜視図である。
【符号の説明】
【０００８】１  支持具の軸
２  支持具の円盤状の網
３−１  支持具のざる状の網の底の部分
３−２  支持具のざる状の網の立ち上がりの部分
４  円盤状の網（２）の骨格を作るため直角に曲げる点
５  渦巻状の編み方のスタートする点
６  ざる状の網の底の部分（３−１）の骨格を作るため直角に曲げる点
７  ざる状の網の立ち上がりの部分（３−２）の骨格を作るため直角に下に曲げる点
【図１】
2011139878.tif 000003
【図２】
2011139878.tif 000004
【図３】
2011139878.tif 000005
【図４】
2011139878.tif 000006